(57)【要約】【課題】複雑な構成を要することなく、通気性能を向上することができるカバー付き通気口装置を提供することにある。【解決手段】カバー付き通気口装置は、流路Ｈの開口を形成した開口面Ｓに臨んで同流路Ｈの正面側を覆う正面カバー４と、この正面カバー４内で流路開口の外周部から庇状に傾斜して張り出す傾斜板５とを備えて構成され、上記傾斜板５は、開口面Ｓからの開き角度Ａが１５°以上で４０°以下の範囲、流路Ｈの正面からその範囲内に投影される傾斜板５の傾斜方向線の最大長さＢが流路内径φの２０％以上で８０％以下、および、開口面Ｓから正面方向の張出し距離Ｃの最大限度が流路内径φの６０％となるように構成したものである。【選択図】図１
2008215630.tif 000002
【特許請求の範囲】
【請求項１】
流路（Ｈ）の開口を形成した開口面（Ｓ）に臨んで同流路（Ｈ）の正面側を覆う正面カバー（４）と、この正面カバー（４）内で流路開口の外周部から庇状に傾斜して張り出す傾斜板（５）とを備えるカバー付き通気口装置において、
上記傾斜板（５）は、開口面（Ｓ）からの開き角度（Ａ）が１５°以上で４０°以下の範囲、流路（Ｈ）の正面からその範囲内に投影される傾斜板（５）の傾斜方向線の最大長さ（Ｂ）が流路内径（φ）の２０％以上で８０％以下、および、開口面（Ｓ）から正面方向の張出し距離（Ｃ）の最大限度が流路内径（φ）の６０％、とすることを特徴とするカバー付き通気口装置。
【発明の詳細な説明】
【技術分野】
【０００１】
本発明は、建物等の壁面に開口する通気用ダクト口において外部からの風雨の侵入を抑えつつダクト口の通気を確保するためのカバー付き通気口装置に関するものである。
【背景技術】
【０００２】
特許文献１（公報の図４）に示される通気口装置が知られている。この通気口装置は、正面カバーと庇状にやや下向きに張り出した天板（傾斜板）とを備えて構成される。正面カバーはダクトと連通する流路の開口正面部を覆うことにより、外部からのあおりによるダクト内への吹き込みを緩衝し、また、庇状の天板はダクト口の雨水侵入を防止し、これらの作用により風雨環境下にあっても壁面開口によるダクト通気を確保することができる。
【０００３】
一般に、カバー付き通気口装置は、正面カバー内に傾斜板と空気を流通させるための一定の流路部とを構成するために正面カバーの奥行寸法が大きくなる傾向にある。しかし、奥行寸法の大きなカバーは、壁面デザイン上の制約となるとともに、壁面から突出した部分が障害物となり、安全上の問題も生じかねないため、奥行寸法がより小さいカバーが望まれている。また、奥行寸法が小さくなれば、材料コスト等を圧縮することができるとともに、壁面デザイン対応性の高い製品を提供することができる。
【特許文献１】登録実用新案第３０１３６５５号公報
【発明の開示】
【発明が解決しようとする課題】
【０００４】
しかしながら、ダクト口における通気性能の確保のためには正面カバー内の開口通路を十分に確保する必要があるので、正面カバーを単に小型化すると、開口通路の狭窄化によって通気ロスの増大、すなわち、圧力損失の増大を招くことから、正面カバーと天板とによる通気口装置において、複雑な構成を要しない範囲でその通気性能を向上することは限界となっていた。
【０００５】
本発明の目的は、複雑な構成を要することなく、通気性能を向上することができるカバー付き通気口装置を提供することにある。
【課題を解決するための手段】
【０００６】
請求項１に係る発明は、流路Ｈの開口を形成した開口面Ｓに臨んで同流路Ｈの正面側を覆う正面カバー４と、この正面カバー４内で流路開口の外周部から庇状に傾斜して張り出す傾斜板５とを備えるカバー付き通気口装置において、上記傾斜板５は、開口面Ｓからの開き角度Ａが１５°以上で４０°以下の範囲、流路Ｈの正面からその範囲内に投影される傾斜板５の傾斜方向線の最大長さＢが流路内径φの２０％以上で８０％以下、および、開口面Ｓから正面方向の張出し距離Ｃの最大限度が流路内径φの６０％、とすることを特徴とする。
【０００７】
上記通気口装置は、通気特性を表す通気圧力損失についての実測データによれば、傾斜板について所定の傾斜角範囲、すなわち、通例よりも開口面Ｓに近い角度範囲を中心とする前記範囲において圧力損失の低下による通気特性の向上が確認された。
【発明の効果】
【０００８】
本発明により以下の効果を奏する。
請求項１の発明により、傾斜板について、その傾斜角の選択を中心とする上記構成の限定によって通気特性の改善が可能となることから、この成果を生かすことにより、構成の複雑化を招くことなく、一定の通気性能を確保した上で、正面カバーの奥行き寸法を抑えることが可能となり、それに伴い、建物の壁面デザインについての対応範囲の拡大、安全性の向上、製造コストの低減等に寄与することができる。
【発明を実施するための最良の形態】
【０００９】
本発明の実施の形態について以下に図面に基づいて詳細に説明する。
図１は、通気口装置の縦断面図である。この通気口装置１は、建物等の壁面に開口する円形のダクトＰの開口内に差し込むために流路Ｈを形成した筒部２と、その前端にフランジ状に取付けたベース板３と、ダクト口の正面側を覆って開口部通路を形成する正面カバー４と、その開口部通路に開口する流路Ｈを覆うようにベース板３の開口外周部から庇状に傾斜する傾斜板５とを備えて構成される。
【００１０】
傾斜板５の詳細な構成は、開き角度Ａ、重なり長さＢ、および張出し距離Ｃについて、次のとおり定める。すなわち、開き角度Ａは、ベース板３の前面Ｓを基準とする開き角度であり、１５°以上４０°以下とし、重なり長さＢは、図２に示すように、流路Ｈの正面からその範囲内に投影される傾斜板５の傾斜方向線の最大長さであり、流路内径φの２０％以上８０％以下とし、張出し距離Ｃはベース板３の前面（開口面）Ｓから傾斜板５の張出し端縁までの距離であり、その最大限度が流路内径φの６０％の範囲とする。
【００１１】
上記通気口装置の傾斜板５に関する構成条件は、モデル機による通気圧力損失の実測により、当社従来機と対比して有意差が認められた損失低減範囲（黒丸は測点を表す）を図示した図３の結果から導かれる。
その具体的な測定方法は、傾斜板の測定条件区分を図４に示すように、傾斜板の長さをＡ〜Ｊの区分とし、１０°間隔の傾斜角（開き角度）について、ダクトサイズと対応する基準風量による通気圧力損失特性を実測し、これを図５のマトリクスとして表した各種のモデル機の特性値（記号は有意差が認められた損失低減区分を表し、その程度を、優…◎、良…○、可…△とする）に基づき、ダクト呼び径が７５〜２５０ｍｍの一般仕様範囲についてまとめたものである。
【００１２】
この場合において、上記傾斜板５は、通気ガイドとして機能する範囲の凹凸形状を含むものであり、その開き角度Ａは、例えば、図６に示す折れ線形状（ａ）や円弧形状（ｂ）の場合について、傾斜板５の基部と空気流通をガイドする終端縁部とを結ぶ直線による実質的な開き角度（傾斜角）として規定することができる。
【００１３】
このように、上記通気口装置は、通気特性を表す通気圧力損失についての実測データによって、傾斜板について所定の開き角度（傾斜角）範囲、すなわち、通例より開口面（取付け壁面）に近い角度範囲を中心とする前記条件範囲において圧力損失の低減による通気特性の向上が確認されたものであり、この通気特性の向上の成果を生かすことにより、所要の通気性能を確保した上で、構成の複雑化を招くことなく、正面カバーの奥行き寸法を抑えることが可能となり、それに伴い、建物の壁面デザインについての対応範囲の拡大、製造コストの低減等に寄与することができるという効果を奏するものである。
【図面の簡単な説明】
【００１４】
【図１】通気口装置の縦断面図
【図２】傾斜板の重なり長さを示す図
【図３】モデル機による通気圧力損失の改善範囲を示す縦断面図
【図４】モデル機による測定区分例を示す縦断面図
【図５】実測値のマトリクス表示図
【図６】傾斜板の傾斜角度
【符号の説明】
【００１５】
１    通気口装置
２    筒部
３    ベース板
４    正面カバー
５    傾斜板
Ａ    開き角度（傾斜角）
Ｂ    重なり長さ
Ｃ    張出し距離
Ｈ    流路
Ｐ    ダクト
Ｓ    開口面
φ    流路内径
【図１】
2008215630.tif 000003
【図２】
2008215630.tif 000004
【図３】
2008215630.tif 000005
【図４】
2008215630.tif 000006
【図５】
2008215630.tif 000007
【図６】
2008215630.tif 000008